(57)【要約】      （修正有）【課題】正しいパッテングに対応した制御された正しいバックスイングとフォロースルーが得られるパッテング練習具を提供する。【解決手段】ゴルファが自己の初期位置とバックスイングの間のストローク運動をモニタできるようにすると共に、パターヘッドがボールに直角になっているか否かを確認し、また、細長い移動路に沿ってゴルフボールが直線的に移動することを確認する。【選択図】図１
2014104101.tif 000002
【特許請求の範囲】
【請求項１】
第１整列ラインを有する細長いゴルフストローク練習装置と、
第２整列ラインを有する反射機構と、
上記細長いゴルフストローク練習装置に対して上記反射機構を保持するため取付機構とより成るパッテング練習具。
【請求項２】
上記第２整列ラインが垂直方向のラインである請求項１記載のパッテング練習具。
【請求項３】
上記反射機構が、上縁と下縁とを有し、上記第２整列ラインが上記上縁と下縁間に延びる向きである請求項１記載のパッテング練習具。
【請求項４】
上記第２整列ラインが上記上縁と下縁間に延びる請求項３記載のパッテング練習具。
【請求項５】
上記第２整列ラインはその幅が上記第１整列ラインの幅より広くない請求項１記載のパッテング練習具。
【請求項６】
上記第２整列ラインが連続したラインではない請求項１記載のパッテング練習具。
【請求項７】
上記反射機構の高さが幅より大きい請求項１記載のパッテング練習具。
【請求項８】
上記反射機構の幅が上記細長いゴルフストローク練習装置の幅より大きい請求項１記載のパッテング練習具。
【請求項９】
上記取付機構がベースと、
このベースから延びるアームとを有し、上記反射機構が、上記ベースに対向する上記アームの一端に取り付けられている請求項１記載のパッテング練習具。
【請求項１０】
上記ベースが少くともその一縁から延びるくぼみを有し、このくぼみが上記細長いゴルフストローク練習装置の一部を受容し、上記ベースが更に上記細長いゴルフストローク練習装置を上記ベースに対して固定するため細長いゴルフストローク練習装置に係合できる固定装置を有する請求項９記載のパッテング練習具。
【請求項１１】
上記固定装置が複数の指を有し、この指が初期形状から変形できる請求項１０記載のパッテング練習具。
【請求項１２】
上記アームが、使用状態と貯蔵状態との間で傾動可能に上記ベースに取り付けられており、貯蔵状態のとき上記アームが上記ベースに対して平行な向きとなる請求項１記載のパッテング練習具。
【請求項１３】
上記細長いゴルフストローク練習装置と上記ベースの少くとも１つに取り付けられる水準機構を更に有し、この水準機構は、上記細長いゴルフストローク練習装置が少くとも１つの方向において水平であるか否かを評価できる請求項１記載のパッテング練習具。
【請求項１４】
第１整列ラインを有する細長いゴルフストローク練習装置を用意し、
この細長いゴルフストローク練習装置に対して第２整列ラインを有する反射機構を位置決めし、
上記細長いゴルフストローク練習装置の少くとも一部が上記反射機構内で見得るように上記反射機構の向きを定め、
ゴルフボールを上記細長いゴルフストローク練習装置上に位置決めし、
上記第１整列ラインと第２整列ラインを上記細長いゴルフストローク練習装置に相対的に移動することによって上記両ラインを整列せしめることを含む
パッテング練習具の使用方法。
【請求項１５】
上記細長いゴルフストローク練習装置の両側が略同一高さとなるよう上記細長いゴルフストローク練習装置を水平とすることを更に含む請求項１４記載の方法。
【請求項１６】
ゴルフクラブの一端のゴルフクラブヘッドをゴルフボールに接するように位置決めし、
ゴルフボールと細長いゴルフストローク練習装置の少なくとも一方に対するゴルフクラブヘッドの向きを視認し、
ゴルフボールに対するゴルフクラブヘッドの向きを変えることを更に有する請求項１４記載の方法。
【請求項１７】
ゴルフボールに相対的にゴルフクラブを移動し、
反射機構を用いてゴルフクラブの動きを視認することを更に有する請求項１４記載の方法。
【請求項１８】
ゴルフクラブの動きの視認が、バックスイングにおいてゴルフボールから離れるゴルフクラブの動きを視認し、
スイング中にゴルフボールに向って移動するゴルフクラブの動きを視認することを含む請求項１７記載の方法。
【発明の詳細な説明】
【技術分野】
【０００１】
本発明はゴルフの技量向上に用いる装置に関するものである。
【背景技術】
【０００２】
ゴルフ、特にパッテングの技量向上には種々の装置が開発されている。特殊な装置としては、パッテングストロークに関するものがある。
【０００３】
ボールのアドレスに関連しては、足、肩、腰、手及び眼等の位置が問題となる。バックスインク及びパッテングストロークのフォロースルーに好ましい眼と手の位置、打力も問題となる。
【０００４】
装置に関する複雑さは、繰り返す練習を介して訂正する数に比例する。或る装置では練習ホールを含む芝生に近い面を有する。或るものはストローク条件をフィードバックするための電子センサを含む。
【０００５】
或るものはゴルフボールの室内練習を行なうため床面上またはＨＶＡＣシステムレジスタ内に置き得るターゲットホールを有する。或る装置ではヘッド整列のための反射機構または磁気的インジケータを有する。他のものはパターに対し腕、手首及びまたはヘッド位置を定めるための機械的抑制具を有する。
【０００６】
夛くの装置は、パッテングストローク運動の間ボールに対するパターヘッドの直交性を確実ならしめる。或る装置は、機械ゲージ及び反射機構を有し、ゴルファはストロークの間の頭の動きをモニタできる。或る装置はパターシャフトが直線運動をなすようにするガイド面を有する。
【０００７】
後述する夛くの装置によって繰り返し練習が可能であるが、好ましいストロークの運動を行なうためボールの軌跡をフィードバックするという効果をゴルファが得られないという欠点を有する。
【０００８】
従って、繰り返しの練習では学んだストロークを単に行なうのみであり、正しい結果は得られない。ゴルファは運動の選択された部分をモニタし、ボールの軌跡をフィードバックすることはできるが、練習装置では正常なストローク運動をなすようにするのが好ましい。
【０００９】
正しい向きとしたパターでゴルフボールを直線に沿って打つようにスイングすることが重要であり、パッテングの１つの目標であることは知られている。
【００１０】
細長いゴルフストローク練習装置は米国特許第５，４０９，２３１号公報に示されている。この練習装置では、装置上にゴルフボールを置き、これをパターで打ち、ゴルフボールがゴルフストローク練習装置に沿ってころがり、ゴルフボールの初期位置の反対側の端部に向うようにする。
【００１１】
上述の従来装置の欠点をふまえて本発明ではゴルファが自己の初期位置とバックスイングの間のストローク運動をモニタできるようにすると共に、パターヘッドがボールに直角になっているか否かを確認し、また、細長い移動路に沿ってゴルフボールが直線的に移動することを確認できるようにしたものである。この結果、正しいパッテングに対応した制御された正しいバックスイングとフォロースルーが得られるようになる。
【発明の概要】
【００１２】
本発明の一実施例は反射材料を取り付けたパッテング練習具である。このパッテング練習具は細長いゴルフストローク練習装置と共に用いる。このパッテング練習具によれば、使用者の目をゴルフボールの直上に正しく位置決めできパッテングの精度が向上される。
【００１３】
本発明の他の実施例は、細長いゴルフストロークの練習装置と、反射機構と、保持機構とを有するパッテング練習具である。上記細長いゴルフストローク練習装置は第１整列ラインを有する。上記反射機構は第２整列ラインを有する。上記保持機構は上記細長いゴルフストローク練習装置に対して上記反射機構を保持する。
【００１４】
本発明の他の実施例は、パッテング練習具の使用方法である。これには細長いゴルフストローク練習装置が設けられている。上記細長いゴルフストローク練習装置は第１整列ラインを有する。
【００１５】
上記細長いゴルフストローク練習装置に対して反射機構が位置決めされている。この反射機構は第２整列ラインを有する。上記細長いゴルフストローク練習装置の少なくとも一部が上記反射機構内で見られるように上記反射機構の向きを定める。
【００１６】
ゴルフボールは上記ゴルフストローク練習装置上に位置決めする。上記第１整列ラインと第２整列ラインを上記細長いゴルフストローク練習装置に相対的に移動することによって上記両ラインを整列せしめる。
【図面の簡単な説明】
【００１７】
添付図面は本発明の実施例を更に説明するためのものであり、本発明の明細書の一部を成す。この図面は説明と共に本発明の実施例の本質を説明する。本発明の他の実施例及びこの実施例による夛くの利益は、後述する詳細な説明を参照してより良く明らかならしめる。図面の構成要素の互の寸法は説明する必要がない。同一符号を同一部分に付す。
【００１８】
図１は本発明の一実施例を示すパッテング練習具の斜視図である。
【００１９】
図２は図１に示すパッテング練習具の正面図である。
【００２０】
図３は図１に示すパッテング練習具の第１の側面図である。
【００２１】
図４は図１に示すパッテング練習具の第２の側面図である。
【００２２】
図５は図１に示すパッテング練習具の平面図である。
【００２３】
図６はゴルフストローク練習装置と共に用いるパッテング練習具の斜視図である。
【００２４】
図７はゴルフストローク練習装置と共に用いるパッテング練習具の他の斜視図である。
【００２５】
図８はパッテング練習具を用いる者の位置を正すために用いるパッテング練習具の側面図である。
【発明を実施するための形態】
【００２６】
本発明の一実施例はパッテングするときのゴルフボールに対するゴルファの位置を正確に定めてゴルファの能力を向上せしめるためのパッテング練習具である。このパッテング練習具２０は、図に示すように反射機構２２と取付機構２４とを有する。
【００２７】
反射機構２２は反射率の高い種々の材料により作る。一実施例においては反射機構２２はミラーである。反射機構２２は、ガラスより破損に強いプラスチック材料から作り得る。
【００２８】
反射機構２２には整列プロセスの際に用いる整列ライン３０を設ける。この整列ライン３０は、垂直方向に延びるラインである。この整列ライン３０は、反射機構２２の下縁３２から上縁３４まで少なくとも部分的に伸ばす。一実施例においては、整列ライン３０は上記下縁３２から上縁３４迄延ばす。
【００２９】
この整列ライン３０は、パッテング練習具２０を用いるゴルファによって容易に視認できるほどに十分に大きい幅のものとする。然しながら整列ライン３０の幅は、整列プロセスの間ゴルフストローク練習装置１８を見る能力を減少せしめる程大きいものとするべきではない。本発明の一実施例においては、整列ライン３０の幅を約１／２インチ以下とする。本発明の他の実施例においては整列ライン３０の幅をゴルファがラインとゴルフボールを見得る限度において約１／８インチまたはそれ以下とする。整列ライン３０は完全な線のみならず、破線状となし得る。
【００３０】
反射機構２２の高さはその幅より大きくなし得る。この形状の反射機構によれば、ゴルファの正しく整列する能力を高めることができ、他方、パッテング練習具２０を使用しないときこれをコンパクトにできる。
【００３１】
本発明の他の実施例においては、反射機構２２の高さは約２インチ〜約１０インチとする。
本発明の他の実施例においては、反射機構２２の高さを約４インチ〜約６インチとする。
【００３２】
本発明の一実施例においては、反射機構２２の幅は約１インチ〜約６インチとする。本発明の他の実施例においては、反射機構２２の幅は約３インチ〜約４インチとする。
【００３３】
取付機構２４にはベース４０と、このベース４０から延びるアーム４２を設ける。上記ベース４０の長さと幅は、反射機構２２を所望の位置に支持するのに十分な大きさとし、パッテング練習具を位置決めした後は倒れる傾向を減少できるようにする。然しながらこのベース４０は、パッテング練習具２０を使用しないとき、このパッテング練習具２０を格納するのに便利なように十分に小さなものとする。
【００３４】
本発明の一実施例においては、ベース４０は矩形とする。このベース４０の長さと幅は夫々約３インチと約１０インチの間とする。本発明の他の実施例においては、上記長さと幅は夫々約３インチと約５インチの間とする。
【００３５】
ベース４０の高さは、パッテング練習具２０と共に用いるゴルフストローク練習装置１８の高さと略同一とする。本発明の一実施例においては、ベース４０の高さは約１／４インチと約１／２インチの間とする。
【００３６】
ベース４０には、ベース４０の縁からベース４０の中央部に延びるくぼみ４４を設ける。くぼみ４４の幅は、パッテング練習具２０と共に用いるゴルフストローク練習装置１８の幅と略同一とする。本発明の一実施例においては、くぼみ４４の幅は約１／２インチと約２インチの間とする。
【００３７】
ベース４０には、パッテング練習具２０に対して固定の位置にゴルフストローク練習装置１８を抑制するために用いるくぼみ４４に接して保持装置４６を設ける。保持装置４６にはくぼみ４４の両側に沿って複数の指４８を設ける。
【００３８】
この指４８は、ゴルフストローク練習装置１８をくぼみ４４内に挿入したとき変形することができる材料によって作る。従ってこの指４８はゴルフストローク練習装置１８の両側に係合できるようになる。ゴルフストローク練習装置１８の幅をくぼみ４４の幅と略同一とすれば、ゴルフストローク練習装置１８をくぼみ４４に挿入したとき、指４８は大きく変形しないようになる。
【００３９】
ゴルフストローク練習装置１８に対しその両側に係合する指４８により加えられる力を十分に大きくすれば、ゴルフストローク練習装置１８は、パッテング練習具２０の使用の間ベース４０に対して動かないようになる。然しながら、指４８によって加えられる力はあまり大きくせずゴルフストローク練習装置１８を用いないとき、これをパッテング練習具２０から分離できるようにするのが好ましい。
【００４０】
上記指４８は、ベース４０の他の部分の材料と同一の材料で作り、指４８がベース４０から分離する可能性を最少ならしめる。
【００４１】
本発明の他の実施例においては保持装置をベース４０を通して延びる少くとも１つのねじ（図示せず）によって形成する。このねじはくぼみ４４内に延び細長いゴルフストローク練習装置１８に係合し、その結果、細長いゴルフストローク練習装置１８をベース４０に固定できるようにする。
【００４２】
本発明の他の実施例においては、くぼみ４４の両側に溝（図示せず）を形成する。細長いゴルフストローク練習装置１８の一端両側面から延びる延長部（図示せず）を設け、ベース４４に係合せしめる。
【００４３】
この実施例によれば、ゴルフストローク練習装置１８をベース４４に対し摺動係合できるようになる。当業者にとって他の形状をとり得るのは容易である。
【００４４】
アーム４２は、反射機構２２をベース４０に取り付けるように機能する。アーチ４２には第１のアーム部分５０と第２のアーム部分５２とを設ける。第１のアーム部分５０はベース４０に対して交互する方向とする。
【００４５】
本発明の一実施例においては、ベース４０に第１のアーム部分５０の幅と厚さに略等しい幅と長さの孔５４を設け、第１のアーム部分５０をベース４０に摩擦係合できるようにする。
【００４６】
第２のアーム部分５２は接着剤や、ファスナ等を用いて反射機構２２の表面に取り付ける。
【００４７】
締付け機構５６を用い第１のアーム部分５０を第２のアーム部分５２に取り付ける。この締付け機構５６により反射機構２２をベース４０に対して傾動自在とし、パッテング練習具２０を使用するゴルファの身長等をベースとして反射機構２２を対応せしめる。
【００４８】
上記締付け機構５６はねじと蝶ナットより成る構成を用いる。この構成とすれば工具を用いることなく締付け機構５６を調節できるようになる。
【００４９】
ゴルフストローク練習装置１８をその上面がパター練習具２０の上面に一致するようパッテング練習具２０に取り付ける。
【００５０】
ゴルフストローク練習装置１８をその両側が略同一高さとなるよう調節する。一実施例においてはこの調節は、ゴルフストローク練習装置１８とパッテング練習具２０の少なくとも１つに対応するレベル調節機構を用いて行なう。
【００５１】
ゴルフストローク練習装置１８のレベル調節は重要なことであるが、ゴルフストローク練習装置１８の両端間を結ぶ方向の相対レベルの調節も重要である。
【００５２】
ゴルファがパッテングのためパッテング練習具２０の端部であるゴルフストローク練習装置１８の端部に立ったとき反射機構２２を調節し、ゴルフストローク練習装置１８の少なくとも１部を見ることができるよう反射機構２２を位置決めする。この状況は種々の身長のゴルファに対応できる。
【００５３】
初めに図７に示すようにゴルフボールをゴルフストローク練習装置１８のスタート位置上に置く。ゴルファはパターのヘッドをゴルフボールに接近せしめる。
【００５４】
ゴルファは次いで頭を上げて反射機構２２を見る。若し整列ライン３０がゴルフ練習装置１８の中心に一致していないときは、ゴルファは図８に示すように整列ライン３０がゴルフストローク練習装置１８と一緒になる迄ゴルフストローク練習装置１８から離接するよう移動する。
【００５５】
次いでゴルファによりパターをスイングしてゴルフボールをゴルフストローク練習装置１８の上面に沿ってその端部迄移動せしめる。このプロセスをゴルフボールを用いて繰り返しゴルファの位置がゴルフボールに関して最適になるようにしてゴルファの能力を向上せしめる。
【００５６】
本発明においては種々の位置における情報をゴルファにフィードバックする。ゴルファは、ゴルフストロークの始めにおいてゴルファの目がゴルフボールに向けられているか否かを定めることができる。ゴルファは、ゴルフクラブがインサイドまたはアウトサイドではなく真直ぐにバックスイングしているか否かをモニタできる。ゴルファは、ゴルフクラブがゴルフボールに接するように移動したときゴルフクラブが加速されたか否かをモニタできる。
【００５７】
ゴルファは、ゴルフクラブがボールに接したとき、ゴルフクラブのフエースの向きを定めることができる。ゴルフクラブのフエースはゴルフボールに対して直角とすべきである。フエースが開いているときはゴルフボールは細長いゴルフストローク練習装置１８から右方に移動し、フエースが閉じているときは、ゴルフボールは左方に移動するようになる。以上は右きゝのゴルファに対するもので、左きゝのゴルファの場合はその逆となる。
【００５８】
上述の詳細な説明においては、図面に符号を付して行なったがこれは特定の実施例についてのものである。“平面”、“底面”、“前面”、“背面”、“先端”、“後端”等は図面の向きを示すためのものである。実施例では夛くの異なる向きとなり得るものであり、上記のものに限定されるものではない。本発明の範囲内において種々変更でき、本発明の範囲は添付請求項の記載によって定められることは勿論である。
【００５９】
符号と共に示した本発明の以上の説明は特定の状況に合致するものである。当業者にとって種々変更できることは明らかである。
【手続補正書】
【提出日】平成25年3月4日(2013.3.4)
【手続補正１】
【補正対象書類名】図面
【補正対象項目名】全図
【補正方法】追加
【補正の内容】
【図１】
2014104101.tif 000003
【図２】
2014104101.tif 000004
【図３】
2014104101.tif 000005
【図４】
2014104101.tif 000006
【図５】
2014104101.tif 000007
【図６】
2014104101.tif 000008
【図７】
2014104101.tif 000009
【図８】
2014104101.tif 000010
【外国語明細書】
2014104101.tif 000011
2014104101.tif 000012
2014104101.tif 000013
2014104101.tif 000014
2014104101.tif 000015
2014104101.tif 000016
2014104101.tif 000017
2014104101.tif 000018
2014104101.tif 000019
2014104101.tif 000020
2014104101.tif 000021
2014104101.tif 000022
2014104101.tif 000023
2014104101.tif 000024
2014104101.tif 000025
2014104101.tif 000026
2014104101.tif 000027
2014104101.tif 000028
2014104101.tif 000029
2014104101.tif 000030